(57)【要約】【課題】現金の入出金を行う取引装置における現金の補充作業や取り出し作業の頻度を低減する。【解決手段】本情報処理装置は、格納庫に格納した現金を利用者の要求に応じて入出金する取引装置に接続された情報処理装置であり、利用者を記憶する記憶手段と、格納庫が格納する現金の格納量を取得する取得手段と、取得した格納量に応じて、格納庫への現金の補充または格納庫からの現金の取り出しの要否の少なくとも一方を判定する判定手段と、格納庫への現金の補充要または格納庫からの現金の取り出し要と判定すると、取引装置を利用する利用者を特定する特定手段と、格納庫への現金の補充要と判定すると特定した利用者に対して取引装置への入金を促す情報を第１送信処理と、格納庫からの現金の取り出し要と判定すると特定した利用者に対して取引装置からの出金を促す情報を送信する第２送信処理の少なくとも一方の送信処理を実行する送信手段と、を備える。【選択図】図２
2020144458.tif 000002
【特許請求の範囲】
【請求項１】
格納庫に格納した現金を利用者の要求に応じて入出金する取引装置に接続された情報処理装置であって、
利用者を記憶する記憶手段と、
前記格納庫が格納する現金の格納量を取得する取得手段と、
取得した前記格納量に応じて、前記格納庫への現金の補充または前記格納庫からの現金の取り出しの要否の少なくとも一方を判定する判定手段と、
前記格納庫への現金の補充要または前記格納庫からの現金の取り出し要と判定すると、前記取引装置を利用する利用者を特定する特定手段と、
前記格納庫への現金の補充要と判定すると特定した前記利用者に対して前記取引装置への入金を促す情報を送信する第１送信処理と、前記格納庫からの現金の取り出し要と判定すると特定した前記利用者に対して前記取引装置からの出金を促す情報を送信する第２送信処理の少なくとも一方の送信処理を実行する送信手段と、を備える、
情報処理装置。
【請求項２】
前記記憶手段は、顧客属性毎に分類して前記利用者を記憶する、
請求項１に記載の情報処理装置。
【請求項３】
前記特定手段は、前記格納庫からの現金の補充要または前記格納庫からの現金の取り出し要と判定してからの経過時間に応じて、特定する前記利用者の人数を増大させる、
請求項２に記載の情報処理装置。
【請求項４】
前記記憶手段は、前記顧客属性毎に優先度を対応付けて記憶し、
前記特定手段は、前記経過時間が長くなる程、前記優先度が低い利用者も特定する利用者に含める、
請求項３に記載の情報処理装置。
【請求項５】
前記記憶手段は、前記利用者一人あたりが入金または出金する現金の量の期待値を記憶し、
前記特定手段は、補充要または取り出し要と判定された状態を解消可能な現金の量を算出し、前記期待値と前記利用者の人数との積が前記解消可能な現金の量を超える人数の利用者を特定する、
請求項１から４のいずれか一項に記載の情報処理装置。
【請求項６】
前記記憶手段は、前記利用者を時間帯毎の前記顧客属性に分類して記憶し、
前記特定手段は、前記判定を行った時間帯に応じて、前記利用者を特定する、
請求項２から５のいずれか一項に記載の情報処理装置。
【請求項７】
格納庫に格納した現金を利用者の要求に応じて入出金する取引装置に接続された情報処理装置が実行する情報処理方法であって、
前記情報処理装置が、
前記格納庫が格納する現金の格納量を取得し、
取得した前記格納量に応じて、前記格納庫への現金の補充または前記格納庫からの現金の取り出しの要否の少なくとも一方を判定し、
前記格納庫への現金の補充要または前記格納庫からの現金の取り出し要と判定すると、利用者を記憶する記憶装置を参照して、前記取引装置を利用する利用者を特定する特定手段と、
前記格納庫への現金の補充要と判定すると特定した前記利用者に対して前記取引装置への入金を促す情報を送信する第１送信処理と、前記格納庫からの現金の取り出し要と判定
すると特定した前記利用者に対して前記取引装置からの出金を促す情報を送信する第２送信処理の少なくも一方の送信処理を実行する、
情報処理方法。
【請求項８】
格納庫に格納した現金を利用者の要求に応じて入出金する取引装置に接続された情報処理装置に実行させる情報処理プログラムであって、
前記情報処理装置に、
前記格納庫が格納する現金の格納量を取得させ、
取得した前記格納量に応じて、前記格納庫への現金の補充または前記格納庫からの現金の取り出しの要否の少なくとも一方を判定させ、
前記格納庫への現金の補充要または前記格納庫からの現金の取り出し要と判定すると、利用者を記憶する記憶装置を参照して、前記取引装置を利用する利用者を特定する特定手段と、
前記格納庫への現金の補充要と判定すると特定した前記利用者に対して前記取引装置への入金を促す情報を送信させる第１送信処理と、前記格納庫からの現金の取り出し要と判定すると特定した前記利用者に対して前記取引装置からの出金を促す情報を送信させる第２送信処理の少なくとも一方の送信処理を実行させる、
情報処理プログラム。
【発明の詳細な説明】
【技術分野】
【０００１】
本発明は、情報処理装置、情報処理方法および情報処理プログラムに関する。
【背景技術】
【０００２】
金融機関等において、現金自動預入支払機、自動取引装置、自動窓口機および現金自動支払機によって例示される取引装置が利用されている。取引装置には、硬貨や紙幣に例示される現金が格納される。取引装置は、顧客の求めに応じて、格納した現金の出金や顧客から入金された現金の格納を行う。
【先行技術文献】
【特許文献】
【０００３】
【特許文献１】特開２０１８−５５２２０号公報
【特許文献２】特開２０１７−２２００４４号公報
【特許文献３】国際公開第２０１６／０９８２１９号
【発明の概要】
【発明が解決しようとする課題】
【０００４】
取引装置に格納される現金に過不足が生じると、取引装置への現金の補充作業や取引装置からの現金の取り出し作業が行われる。取引装置に格納される現金に過不足が生じてから補充作業や取り出し作業が完了するまでの間、取引装置が実行可能な取引に制限（例えば、取引装置に格納されている現金が不足する場合、現金の引き出しが制限される等）が生じる。また、補充作業や取り出し作業を業者に委託したり金融機関等の職員が実行したりすると、作業コストが生じる。
【０００５】
開示の技術の１つの側面は、現金の入出金を行う取引装置における現金の補充作業や取り出し作業の頻度を低減できる情報処理装置、情報処理方法および情報処理プログラムを提供することを目的とする。
【課題を解決するための手段】
【０００６】
開示の技術の１つの側面は、次のような情報処理装置によって例示される。本情報処理装置は、格納庫に格納した現金を利用者の要求に応じて入出金する取引装置に接続された情報処理装置である。本情報処理装置は、利用者を記憶する記憶手段と、前記格納庫が格納する現金の格納量を取得する取得手段と、取得した前記格納量に応じて、前記格納庫への現金の補充または前記格納庫からの現金の取り出しの要否の少なくとも一方を判定する判定手段と、前記格納庫への現金の補充要または前記格納庫からの現金の取り出し要と判定すると前記取引装置を利用する利用者を特定する特定手段と、前記格納庫への現金の補充要と判定すると特定した前記利用者に対して前記取引装置への入金を促す情報を送信する第１送信処理と、前記格納庫からの現金の取り出し要と判定すると特定した前記利用者に対して前記取引装置からの出金を促す情報を送信する第２送信処理の少なくとも一方を実行する送信手段と、を備える。
【０００７】
開示の技術によれば、取引装置における格納庫への現金の補充要または格納庫への現金の取り出し要と判定すると、取引装置を利用する利用者に対して、当該取引装置への入金または当該取引装置からの出金を促す情報を送信する。情報を受信した利用者が入金または出金することで、取引装置の格納庫に格納される現金の量を補充や取り出しを行わなくともよい範囲内へと近づけるまたは範囲内に収めることができる。そのため、このような技術によれば、現金の入出金を行う取引装置における現金の補充作業や取り出し作業の頻
度を低減できる。
【０００８】
開示の技術は、次の特徴を有してもよい。記憶手段は顧客属性毎に分類して利用者を記憶する。顧客属性としては、利用者の行動パターンを示す顧客属性や、利用者が保有する口座に係る口座情報等を挙げることができる。取引装置を利用する蓋然性は、顧客属性毎に異なると考えられる。利用者を顧客属性毎に分類して記憶することで、顧客属性毎に利用者を特定することができる。顧客属性毎に利用者を特定することで、個々の利用者に存在する事情を吸収することができ、取引装置の出金または入金の管理をより安定的に行うことができる。
【０００９】
開示の技術は、次の特徴を有してもよい。前記特定手段は、前記格納庫からの現金の補充要または前記格納庫からの現金の取り出し要と判定してからの経過時間に応じて、特定する前記利用者の人数を増大させる。利用者の増大では、前記記憶手段は、前記顧客属性毎に優先度を対応付けて記憶し、前記特定手段は、前記経過時間が長くなる程、前記優先度が低い利用者も特定する利用者に含めるとしてもよい。このような特徴を有することで、開示の技術は、経過時間に応じてより多くの利用者に取引装置の利用を促すことができるため、取引装置が補充要または取り出し要となる期間を短縮することができる。
【００１０】
開示の技術は、次の特徴を有してもよい。前記記憶手段は、前記利用者一人あたりが入金または出金する現金の量の期待値を記憶し、前記特定手段は、補充要または取り出し要と判定された状態を解消可能な現金の量を算出し、前記期待値と前記利用者の人数との積が前記解消可能な現金の量を超える人数の利用者を特定する。このような特徴を有することで、開示の技術は、取引装置における補充要または取り出し要の状態をより短期に（または一度の情報送信で）解消することができる。
【００１１】
開示の技術は、次の特徴を有してもよい。前記記憶手段は、前記利用者を時間帯毎の前記顧客属性に分類して記憶し、前記特定手段は、前記判定を行った時間帯に応じて、前記利用者を特定する。利用者は、時間帯によって所在や行動が変わることがある。このような特徴を有することで、開示の技術は、時間帯によって変化する利用者の顧客属性に応じて、情報を送信する利用者を特定できる。
【００１２】
開示の技術は、情報処理方法および情報処理プログラムの側面から把握することも可能である。
【発明の効果】
【００１３】
本情報処理装置は、現金の入出金を行う取引装置における現金の補充作業や取り出し作業の頻度を低減することができる。
【図面の簡単な説明】
【００１４】
【図１】実施形態に係る入出金システムの一例を示す図である。
【図２】図２は、実施形態に係る入出金システムの処理ブロックの一例を示す図である。
【図３】図３は、実施形態において、顧客管理データベースに格納される顧客管理テーブルの一例を示す図である。
【図４】図４は、実施形態において、顧客管理データベースに格納される口座管理テーブルの一例を示す図である。
【図５】図５は、実施形態において、ＡＴＭ管理データベースに格納されるＡＴＭ管理テーブルの一例を示す図である。
【図６】図６は、実施形態において、条件データベースに格納されるグループテーブルの一例を示す図である。
【図７】図７は、実施形態において、条件データベースに格納される条件テーブルの一例を示す図である。
【図８】図８は、実施形態において、条件データベースに格納されるメッセージテーブルの一例を示す図である。
【図９】図９は、実施形態に係る入出金システムの処理シーケンスの一例を示す図である。
【図１０】図１０は、第１変形例に係る入出金システムの処理ブロックの一例を示す図である。
【図１１】図１１は、第１変形例において、条件データベースに格納されるグループテーブルの一例を示す図である。
【発明を実施するための形態】
【００１５】
以下、図面を参照して、実施形態について説明する。以下に示す実施形態の構成は例示であり、開示の技術は実施形態の構成に限定されない。
【００１６】
＜第１実施形態＞
図１は、実施形態に係る入出金システムの一例を示す図である。実施形態に係る入出金システム５００は、Ａｕｔｏｍａｔｉｃ  Ｔｅｌｌｅｒ  Ｍａｃｈｉｎｅ（ＡＴＭ）１、管理サーバ２および顧客端末３を含む。ＡＴＭ１、管理サーバ２および顧客端末３は、ネットワーク環境５を介して相互に通信可能に接続される。入出金システム５００は、金融機関が顧客に対して現金の入出金サービスを提供するシステムである。
【００１７】
ＡＴＭ１は、金融機関が保有する情報処理装置である。ＡＴＭ１は、紙幣の入金および出金等を実行する。ＡＴＭ１は、顧客への便宜のため、様々な場所に設置される。ＡＴＭ１は、入金された紙幣をＡＴＭ１が有する格納庫１０６に格納するとともに、顧客の口座への入金処理を管理サーバ２に依頼する。また、ＡＴＭ１は、紙幣の出金を要求されると、格納庫１０６から指定された金額の紙幣を出金するとともに、顧客の口座への出金処理を管理サーバ２に依頼する。ＡＴＭ１は、「取引装置」の一例である。顧客は「利用者」の一例である。
【００１８】
管理サーバ２は、金融機関が保有する情報処理装置である。管理サーバ２は、金融機関のＡＴＭ１および顧客が保有する口座を管理する。管理サーバ２は、ＡＴＭ１からの依頼に応じて、入金処理や出金処理を行う。また、管理サーバ２は、ＡＴＭ１に格納されている紙幣の量の過不足に応じた処理を実行する。ＡＴＭ１に格納されている紙幣の量の過不足に応じた処理の詳細については、後述する。
【００１９】
顧客端末３は、金融機関の顧客が利用する情報処理装置である。顧客端末３は、例えば、ネットワーク環境５を介して、メールの送受信を行うことができる。顧客端末３として、例えば、パーソナルコンピュータ、スマートフォン、タブレット型コンピュータ、ウェアラブルコンピュータ等を挙げることができる。
【００２０】
図１を参照して、ＡＴＭ１、管理サーバ２および顧客端末３のハードウェア構成についてさらに説明する。ＡＴＭ１は、Ｃｅｎｔｒａｌ  Ｐｒｏｃｅｓｓｉｎｇ  Ｕｎｉｔ（ＣＰＵ）１０１、主記憶部１０２、補助記憶部１０３、通信部１０４、入出金口１０５、格納庫１０６および接続バスＢ１を含む。ＣＰＵ１０１、主記憶部１０２、補助記憶部１０３、通信部１０４、入出金口１０５および格納庫１０６は、接続バスＢ１によって相互に接続される。
【００２１】
ＣＰＵ１０１は、マイクロプロセッサユニット（ＭＰＵ）、プロセッサとも呼ばれる。ＣＰＵ１０１は、単一のプロセッサに限定される訳ではなく、マルチプロセッサ構成であ
ってもよい。また、単一のソケットで接続される単一のＣＰＵ１０１がマルチコア構成を有していても良い。ＣＰＵ１０１が実行する処理のうち少なくとも一部は、ＣＰＵ１０１以外のプロセッサ、例えば、Ｄｉｇｉｔａｌ  Ｓｉｇｎａｌ  Ｐｒｏｃｅｓｓｏｒ（ＤＳＰ）、Ｇｒａｐｈｉｃｓ  Ｐｒｏｃｅｓｓｉｎｇ  Ｕｎｉｔ（ＧＰＵ）、数値演算プロセッサ、ベクトルプロセッサ、画像処理プロセッサ等の専用プロセッサで行われても良い。また、ＣＰＵ１０１が実行する処理のうち少なくとも一部は、集積回路（ＩＣ）、その他のディジタル回路によって実行されてもよい。また、ＣＰＵ１０１の少なくとも一部にアナログ回路が含まれても良い。集積回路は、Ｌａｒｇｅ  Ｓｃａｌｅ  Ｉｎｔｅｇｒａｔｅｄ  ｃｉｒｃｕｉｔ（ＬＳＩ）、Ａｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）、プログラマブルロジックデバイス（ＰＬＤ）を含む。ＰＬＤは、例えば、Ｆｉｅｌｄ−Ｐｒｏｇｒａｍｍａｂｌｅ  Ｇａｔｅ  Ａｒｒａｙ（ＦＰＧＡ）を含む。ＣＰＵ１０１は、プロセッサと集積回路との組み合わせであっても良い。組み合わせは、例えば、マイクロコントローラユニット（ＭＣＵ）、Ｓｙｓｔｅｍ−ｏｎ−ａ−ｃｈｉｐ（ＳｏＣ）、システムＬＳＩ、チップセットなどと呼ばれる。情報処理装置１００では、ＣＰＵ１０１が補助記憶部１０３に記憶されたプログラムを主記憶部１０２の作業領域に展開し、プログラムの実行を通じて周辺装置の制御を行う。これにより、情報処理装置１００は、所定の目的に合致した処理を実行することができる。主記憶部１０２および補助記憶部１０３は、ＡＴＭ１が読み取り可能な記録媒体である。
【００２２】
主記憶部１０２は、ＣＰＵ１０１から直接アクセスされる記憶部として例示される。主記憶部１０２は、Ｒａｎｄｏｍ  Ａｃｃｅｓｓ  Ｍｅｍｏｒｙ（ＲＡＭ）およびＲｅａｄ
Ｏｎｌｙ  Ｍｅｍｏｒｙ（ＲＯＭ）を含む。
【００２３】
補助記憶部１０３は、各種のプログラムおよび各種のデータを読み書き自在に記録媒体に格納する。補助記憶部１０３は外部記憶装置とも呼ばれる。補助記憶部１０３には、オペレーティングシステム（Ｏｐｅｒａｔｉｎｇ  Ｓｙｓｔｅｍ、ＯＳ）、各種プログラム、各種テーブル等が格納される。ＯＳは、通信部１０４を介して接続される外部装置等とのデータの受け渡しを行う通信インターフェースプログラムを含む。外部装置等には、例えば、コンピュータネットワーク等で接続された、他の情報処理装置および外部記憶装置が含まれる。なお、補助記憶部１０３は、例えば、ネットワーク上のコンピュータ群であるクラウドシステムの一部であってもよい。
【００２４】
補助記憶部１０３は、例えば、Ｅｒａｓａｂｌｅ  Ｐｒｏｇｒａｍｍａｂｌｅ  ＲＯＭ（ＥＰＲＯＭ）、ソリッドステートドライブ（Ｓｏｌｉｄ  Ｓｔａｔｅ  Ｄｒｉｖｅ、ＳＳＤ）、ハードディスクドライブ（Ｈａｒｄ  Ｄｉｓｋ  Ｄｒｉｖｅ、ＨＤＤ）等である。また、補助記憶部１０３は、例えば、Ｃｏｍｐａｃｔ  Ｄｉｓｃ（ＣＤ）ドライブ装置、Ｄｉｇｉｔａｌ  Ｖｅｒｓａｔｉｌｅ  Ｄｉｓｃ（ＤＶＤ）ドライブ装置、Ｂｌｕ−ｒａｙ（登録商標）  Ｄｉｓｃ（ＢＤ）ドライブ装置等である。また、補助記憶部１０３は、Ｎｅｔｗｏｒｋ  Ａｔｔａｃｈｅｄ  Ｓｔｏｒａｇｅ（ＮＡＳ）あるいはＳｔｏｒａｇｅ  Ａｒｅａ  Ｎｅｔｗｏｒｋ（ＳＡＮ）によって提供されてもよい。
【００２５】
通信部１０４は、例えば、ネットワーク環境５とのインターフェースである。通信部１０４は、ネットワーク環境５を介して外部の装置と通信を行う。
【００２６】
入出金口１０５は、顧客からの紙幣の入金および出金を受け付ける窓口である。ＡＴＭ１は、顧客から入金の指示を受けると、入出金口１０５を開いて紙幣を受け付ける。また、ＡＴＭ１は、顧客から出勤の指示を受けると、入出金口１０５を開いてＡＴＭ１内の紙幣を出金する。
【００２７】
格納庫１０６は、紙幣を格納する格納庫である。格納庫１０６は、実際には金種別に用意されるが、本明細書では簡単のため、ＡＴＭ１は格納庫１０６をひとつ備えるものとする。入出金口１０５を介して入金された紙幣は格納庫１０６に格納される。また、ＡＴＭ１は、顧客から出金を指示されると、指示された額の紙幣を格納庫１０６から取り出し、入出金口１０５を介して出金する。
【００２８】
ＡＴＭ１は、例えば、顧客等からの操作指示等を受け付ける入力部をさらに備えてもよい。このような入力部として、キーボード、タッチパネルあるいは音声入力装置といった入力デバイスを例示できる。
【００２９】
ＡＴＭ１は、例えば、ＣＰＵ１０１で処理されるデータや主記憶部１０２に記憶されるデータを出力する出力部を備えるものとしてもよい。このような、出力部として、Ｃａｔｈｏｄｅ  Ｒａｙ  Ｔｕｂｅ（ＣＲＴ）ディスプレイ、Ｌｉｑｕｉｄ  Ｃｒｙｓｔａｌ  Ｄｉｓｐｌａｙ（ＬＣＤ）、Ｐｌａｓｍａ  Ｄｉｓｐｌａｙ  Ｐａｎｅｌ（ＰＤＰ）、Ｅｌｅｃｔｒｏｌｕｍｉｎｅｓｃｅｎｃｅ（ＥＬ）パネル、有機ＥＬパネルあるいはプリンタといった出力デバイスを例示できる。
【００３０】
管理サーバ２は、ＣＰＵ２０１、主記憶部２０２、補助記憶部２０３、通信部２０４および接続バスＢ２を含む。ＣＰＵ２０１、主記憶部２０２、補助記憶部２０３、通信部２０４および接続バスＢ２のそれぞれは、ＡＴＭ１のＣＰＵ１０１、主記憶部１０２、補助記憶部１０３、通信部１０４および接続バスＢ１のそれぞれと同一の構成であるため、その説明を省略する。
【００３１】
顧客端末３は、ＣＰＵ３０１、主記憶部３０２、補助記憶部３０３、通信部３０４および接続バスＢ３を含む。ＣＰＵ３０１、主記憶部３０２、補助記憶部３０３、通信部３０４および接続バスＢ３のそれぞれは、ＡＴＭ１のＣＰＵ１０１、主記憶部１０２、補助記憶部１０３、通信部１０４および接続バスＢ１のそれぞれと同一の構成であるため、その説明を省略する。
【００３２】
＜入出金システム５００の処理ブロック＞
図２は、実施形態に係る入出金システムの処理ブロックの一例を示す図である。以下、図２を参照して、入出金システム５００の処理ブロックの一例について説明する。
【００３３】
（ＡＴＭ１の処理ブロック）
ＡＴＭ１は、入出金部１１および検知部１２を備える。ＡＴＭ１は、主記憶部１０２に実行可能に展開されたコンピュータプログラムをＣＰＵ１０１が実行することで、上記ＡＴＭ１の、入出金部１１および検知部１２等の各部としての処理を実行する。
【００３４】
入出金部１１は、顧客から入出金口１０５を介して入金された紙幣を格納庫１０６に格納するとともに、顧客ＩＤ、預け入れられた金額および入金先となる口座の口座番号を管理サーバ２に通知することで、顧客の口座に対する入金処理を管理サーバ２に依頼する。また、入出金部１１は、顧客から紙幣の出金を要求されると、格納庫１０６から指定された金額の紙幣を格納庫１０６から入出金口１０５を介して出金するとともに、顧客ＩＤ、出金した金額および出金元となる口座の口座番号を管理サーバ２に通知することで、顧客の口座に対する出金処理を管理サーバ２に依頼する。
【００３５】
検知部１２は、入出金部１１による入出金が行われると、格納庫１０６に格納された紙幣の格納量を検知する。検知部１２は、検知した格納量とＡＴＭ１を識別するＡＴＭ−ＩＤとを管理サーバ２に通知する。ＡＴＭ−ＩＤは、ＡＴＭ１を一意に識別する情報であり、例えば、補助記憶部１０３に記憶される。
【００３６】
（管理サーバ２の処理ブロック）
管理サーバ２は、取得部２１、判定部２２、決定部２３、通知部２４、顧客管理データベース２５、ＡＴＭ管理データベース２６および条件データベース２７を備える。管理サーバ２は、主記憶部２０２に実行可能に展開されたコンピュータプログラムをＣＰＵ２０１が実行することで、上記管理サーバ２の、取得部２１、判定部２２、決定部２３、通知部２４、顧客管理データベース２５、ＡＴＭ管理データベース２６および条件データベース２７等の各部としての処理を実行する。なお、図中では、顧客管理データベース２５、ＡＴＭ管理データベース２６および条件データベース２７は、それぞれ顧客管理ＤＢ２５、ＡＴＭ管理ＤＢ２６および条件ＤＢ２７と記載される。
【００３７】
顧客管理データベース２５は、顧客を管理するデータベースである。図３は、実施形態において、顧客管理データベースに格納される顧客管理テーブルの一例を示す図である。図３に例示される顧客管理テーブル２５１は、「顧客ＩＤ」、「氏名」、「住所」および「連絡先」の各項目を対応付けて記憶する。「顧客ＩＤ」には、顧客を一意に識別する情報が記憶される。「氏名」には、顧客の氏名が記憶される。「住所」には、顧客の住所が記憶される。「連絡先」には、顧客の連絡先が記憶される。図３では、「連絡先」には顧客端末３に設定されたメールアドレスが記憶されているが、「連絡先」に記憶される顧客の連絡先がメールアドレスに限定されるわけではない。「連絡先」に記憶される連絡先は、例えば、Ｓｏｃｉａｌ  Ｎｅｔｗｏｒｋｉｎｇ  Ｓｅｒｖｉｃｅ（ＳＮＳ）アカウント、電話番号等であってもよい。
【００３８】
図４は、実施形態において、顧客管理データベースに格納される口座管理テーブルの一例を示す図である。図４に例示される口座管理テーブル２５２は、「顧客ＩＤ」、「口座番号」および「残高」の各項目を対応付けて記憶する。「顧客ＩＤ」は、顧客管理テーブル２５１が記憶する「顧客ＩＤ」と同一である。「口座番号」には、顧客ＩＤで識別される顧客が保有する口座の口座番号が記憶される。「残高」には、口座の残高が記憶される。
【００３９】
図５は、実施形態において、ＡＴＭ管理データベースに格納されるＡＴＭ管理テーブルの一例を示す図である。図５に例示されるＡＴＭ管理テーブル２６１は、「ＡＴＭ−ＩＤ」、「場所」、「格納量」、「上限量」、「下限量」および「時刻」の各項目を対応付けて記憶する。「ＡＴＭ−ＩＤ」には、ＡＴＭ１を一意に識別する情報が記憶される。「場所」には、ＡＴＭ１が設置された場所を示す情報が記憶される。「格納量」には、ＡＴＭ１の格納庫１０６に格納される紙幣の格納量を示す情報が記憶される。「上限量」には、ＡＴＭ１から紙幣の取り出しを行う格納量を示す情報が記憶される。「下限量」には、ＡＴＭ１に紙幣の補充を行う格納量を示す情報が記憶される。「時刻」には、後述する判定部２２が補充要または取り出し要と判定した時刻が記憶される。「時刻」に記憶される情報は、補充要または取り出し要のいずれか一方の時刻でもよい。
【００４０】
図６は、実施形態において、条件データベースに格納されるグループテーブルの一例を示す図である。図６に例示されるグループテーブル２７１は、「ＡＴＭ−ＩＤ」、「グループＩＤ」、「グループ」、「顧客ＩＤ」および「通知レベル」の各項目を対応付けて記憶する。「ＡＴＭ−ＩＤ」には、ＡＴＭ管理テーブル２６１の「ＡＴＭ−ＩＤ」と同一の情報が記憶される。「グループＩＤ」には、顧客が属するグループを一意に識別するＩＤが記憶される。「グループ」には、顧客が属するグループを説明する説明文が記憶される。「顧客ＩＤ」には、「グループ」に属する顧客の顧客ＩＤが記憶される。「グループ」に属する顧客が複数存在する場合には、複数の顧客の顧客ＩＤが列挙される。「通知レベル」には、出金または入金を促すメッセージを送信する優先度を示す情報が記憶される。なお、本明細書において、「グループＩＤ」がＡであるグループをグループＡと称し、同
様に、「グループＩＤ」がＢであるグループをグループＢ、「グループＩＤ」がＣであるグループをグループＣと称する。
【００４１】
グループテーブル２７１では、上記の通り、顧客をグループに分類して記憶する。ここで、グループは、一定の傾向がみられる顧客属性にしたがって顧客を分類するものであり、グループに設定された顧客属性を有する顧客がグループに分類される。顧客属性としては、顧客の口座情報や行動類型を挙げることができる。口座情報や行動類型等の顧客属性に応じて、顧客がＡＴＭ１を利用する蓋然性は異なると考えられる。行動類型としては、例えば、顧客の勤務地、通勤ルート、ＡＴＭ１の手数料に応じたＡＴＭ１の利用頻度の変動等を挙げることができる。口座情報としては、例えば、顧客の居住地や年齢、法人・個人の別、職業、口座の用途等を挙げることができる。顧客属性に基づいたグループの例として、は通勤ルート上にＡＴＭ１が存在する顧客が属するグループ（以下、グループＡとする）、ＡＴＭ１の周辺に居住する顧客が属するグループ（以下、グループＢとする）、ＡＴＭ１の手数料を重視する顧客が属するグループ（以下、グループＣ）を挙げることができる。グループＡに属する顧客は出勤時や帰宅時にＡＴＭ１を利用する蓋然性が高いと考えられる。グループＢに属する顧客は買い物等の外出のついでにＡＴＭ１を利用する蓋然性が高いと考えられる。グループＣに属する顧客はＡＴＭ１の手数料を下げるとＡＴＭ１を利用する蓋然性が高くなると考えられる。
【００４２】
また、例えば顧客の職業に着目した場合、顧客がＡＴＭ１の存在する周辺で営業する自営業者の場合、当該顧客が保有する売上金等の現金をＡＴＭ１に格納して自身が保有する現金量を減少させたいという需要や逆に釣銭等の目的で現金を自身が保有する現金量を増加させたいという需要が存在し、同じ自営業者であっても現金取扱い割合の多寡によってさらに需要が異なり、これらの需要が高くなる性質を有する顧客についてはＡＴＭ１を利用する蓋然性が高くなると考えられる。すなわち、顧客属性として職業に着目し、職業を加味して顧客をグループに分類してもよい。
【００４３】
なお、グループテーブル２７１に登録されるそれぞれの情報は、例えば、以下のように取得できる。顧客の通勤ルート上にＡＴＭ１が存在するか否かについては、例えば、顧客端末３で収集される顧客の行動履歴を取得すればよい。また、ＡＴＭ１の周辺に顧客が居住しているか否かを示す情報は、口座を開設する際に登録された顧客の住所を基に取得すればよい。さらに、手数料重視であるか否かについては、ＡＴＭ１の利用履歴を基に、手数料を値引きしたときの利用頻度が高いか否かによって取得できる。
【００４４】
図７は、実施形態において、条件データベースに格納される条件テーブルの一例を示す図である。図７に例示される条件テーブル２７２は、「通知レベル」および「基準」の各項目を対応付けて記憶する。「通知レベル」は、グループテーブル２７１が記憶する「通知レベル」と同一である。「基準」は、通知を行う判定基準が記憶される。条件データベース２７は、「記憶手段」の一例である。
【００４５】
図８は、実施形態において、条件データベースに格納されるメッセージテーブルの一例を示す図である。図８に例示されるメッセージテーブル２７３は、「ＭＳＧ−ＩＤ」、「種別」および「メッセージ」の各項目を対応付けて記憶する。「ＭＳＧ−ＩＤ」には、顧客に通知するメッセージを一意に識別するＩＤが記憶される。「種別」には、取り出しまたは補充を示す情報が記憶される。「メッセージ」には、顧客に送信するメッセージのメッセージ本文が記憶される。なお、メッセージ本文中の「＄ＳＴＡＲＴ＄」、「＄ＥＮＤ＄」、「＄ＡＴＭ＄」は、それぞれ顧客にメッセージを送信する際に通知部２４によってインセンティブを与える開始時刻、インセンティブを与える終了時刻、ＡＴＭ１の場所、に置換される。
【００４６】
取得部２１は、ＡＴＭ１から格納庫１０６に格納された現金の格納量とＡＴＭ−ＩＤを通知されると、ＡＴＭ管理テーブル２６１において、ＡＴＭ−ＩＤで識別されるＡＴＭ１の「格納量」を更新する。また、ＡＴＭ１からの入金処理または出金処理を受信すると、受信した入金処理または出金処理に応じて、口座管理テーブル２５２の「残高」を更新する。取得部２１は、「取得手段」の一例である。
【００４７】
判定部２２は、ＡＴＭ１から通知されたＡＴＭ−ＩＤで特定されるＡＴＭ１について、現金の補充またはＡＴＭ１からの現金の取り出しの要否を判定する。判定部２２は、ＡＴＭ管理テーブル２６１の「格納量」に記憶される格納量が、ＡＴＭ管理テーブル２６１の「上限量」に記憶される上限量を超えているか否か、「下限量」に記憶される下限量を下回っているか否かを判定する。判定部２２は、「格納量」に記憶される格納量が「上限量」に記憶される上限量を超えている場合にはＡＴＭ１からの現金の取り出し要と判定し、「格納量」に記憶される格納量が「上限量」に記憶される上限量以下である場合にはＡＴＭ１からの現金の取り出し不要と判定する。また、判定部２２は、「格納量」に記憶される格納量が「下限量」に記憶される下限量を下回っている場合にはＡＴＭ１への現金の補充要と判定し、「格納量」に記憶される格納量が「下限量」に記憶される下限量以上である場合にはＡＴＭ１への現金の補充不要と判定する。
【００４８】
判定部２２は、取り出し要または補充要と判定し、ＡＴＭ管理テーブル２６１の「時刻」が空（から）である場合には、ＡＴＭ管理テーブル２６１の「時刻」に判定を実行した時刻を記憶させる。判定部２２は、取り出しおよび補充のいずれも不要と判定した場合には、ＡＴＭ管理テーブル２６１の「時刻」を空（から）に初期化する。判定部２２は、「判定手段」の一例である。
【００４９】
決定部２３は、判定部２２が現金の取り出し要または現金の補充要と判定すると、ＡＴＭ１への入金またはＡＴＭ１からの出金にインセンティブを与える顧客を決定する。決定部２３は、ＡＴＭ管理テーブル２６１の「時刻」に記憶された時刻からの経過時間を計測する。決定部２３は、条件テーブル２７２を参照して、計測した経過時間を基にインセンティブを与える通知レベルを選定する。判定部２２は、グループテーブル２７１を参照して、選定した通知レベルに対応付けられたグループを特定し、特定したグループに属する顧客に対してインセンティブを与えることを決定する。
【００５０】
例えば、ＡＴＭ１からの現金の取り出し要、または、ＡＴＭ１への現金の補充要と判定した直後である場合、決定部２３は、条件テーブル２７２を参照して、インセンティブを与える対象として通知レベル１を選定する。決定部２３は、グループテーブル２７１を参照して、通知レベル１に対応付けられるグループＡに属する顧客に対してインセンティブを与えることを決定する。すなわち、決定部２３は、顧客ＩＤが１、１２、５０の顧客に対してインセンティブを与えることを決定する。
【００５１】
その後、ＡＴＭ１からの現金の取り出し要、または、ＡＴＭ１への現金の補充要の状態が解消しないまま１時間が経過した場合、決定部２３は、条件テーブル２７２を参照して、インセンティブを与える対象として通知レベル２を選定する。決定部２３は、グループテーブル２７１を参照して、通知レベル２に対応付けられるグループＢに属する顧客に対してインセンティブを与えることを決定する。すなわち、決定部２３は、顧客ＩＤが７、１９、２２、４１の顧客に対してインセンティブを与えることを決定する。
【００５２】
すなわち、経過時間が長くなれば長くなる程、通知レベルが低いグループにインセンティブを与える対象が拡大していく。上記の通り、判定直後では通知レベル１が通知の対象となり、通知レベル１に通知した後も補充要または取り出し要の状態が継続する場合には、通知レベル２、通知レベル３と通知の対象となる通知レベルが拡大する。入出金システ
ム５００は、このように経過時間に応じて通知の対象を拡大することで、ＡＴＭ１の補充要または取り出し要の状態を解消する方向に向けることができる。決定部２３は、「特定手段」の一例である。
【００５３】
通知部２４は、判定部２２が補充要と判定した場合、条件データベース２７のメッセージテーブル２７３を参照して、「種別」が「補充」に対応付けられたメッセージを取得する。通知部２４は、ＡＴＭ管理データベース２６のＡＴＭ管理テーブル２６１を参照して、補充要と判定されたＡＴＭ１の場所を取得する。通知部２４は、メッセージテーブル２７３から取得したメッセージのうち「＄ＳＴＡＲＴ＄」、「＄ＥＮＤ＄」、「＄ＡＴＭ＄」のそれぞれを、判定した時刻、判定した時刻から所定時間後（例えば１時間後）の時刻、ＡＴＭ管理テーブル２６１から取得したＡＴＭ１の場所に置換して、顧客に通知するメッセージを生成する。例えば、ＡＴＭ−ＩＤが１であるＡＴＭ１について補充要と午後１時に判定された場合、通知部２４は、「午後１時から午後２時までの間、○○店前のＡＴＭで入金する際の入金手数料が無料です。」とのメッセージを生成する。通知部２４は、決定部２３が決定した顧客の連絡先を顧客管理データベース２５の顧客管理テーブル２５１から取得する。通知部２４は、顧客管理テーブル２５１から取得した顧客の連絡先に対して、生成したメッセージを送信する。補充要と判定された場合にメッセージを送信する処理は、「第１送信処理」の一例である。判定部２２が取り出し要と判定した場合の処理も同様である。取り出し要と判定した場合にメッセージを送信する処理は「第２送信処理」の一例である。通知部２４は、「送信手段」の一例である。
【００５４】
（顧客端末３の処理ブロック）
顧客端末３は、表示部３１を備える。顧客端末３は、主記憶部３０２に実行可能に展開されたコンピュータプログラムをＣＰＵ３０１が実行することで、上記顧客端末３の、表示部３１等の各部としての処理を実行する。
【００５５】
表示部３１は、管理サーバ２から通知を受信すると、受信した通知を顧客端末３のディスプレイ等に表示する。
【００５６】
＜入出金システム５００の処理シーケンス＞
図９は、実施形態に係る入出金システムの処理シーケンスの一例を示す図である。図９を参照して、入出金システム５００の処理シーケンスの一例について説明する。
【００５７】
Ｓ１では、ＡＴＭ１の入出金部１１は、顧客からの入金または出金を受け付ける。入出金部１１は、入金の場合には顧客から預け入れられた現金を格納庫１０６に格納し、出金の場合には顧客から指定された金額の現金を格納庫１０６から出金する。Ｓ２では、入出金部１１は、Ｓ１で実行した入金に係る入金処理または出金に係る出金処理を管理サーバ２に依頼する。
【００５８】
Ｓ３では、管理サーバ２の取得部２１は、Ｓ２でＡＴＭ１から受信した入金処理または出金処理として、顧客管理データベース２５の口座管理テーブル２５２の「残高」を更新する。
【００５９】
Ｓ４では、ＡＴＭ１の検知部１２は、格納庫１０６に格納された現金の格納量を検知する。Ｓ５では、検知部１２は、検知した格納量とＡＴＭ１を識別するＡＴＭ−ＩＤとを管理サーバ２に通知する。
【００６０】
Ｓ６では、管理サーバ２の取得部２１は、ＡＴＭ管理テーブル２６１において、Ｓ５で受信したＡＴＭ−ＩＤで識別されるＡＴＭ１の「格納量」をＳ５で受信した格納量に更新する。
【００６１】
Ｓ７では、管理サーバ２の判定部２２は、ＡＴＭ１への現金の補充またはＡＴＭ１からの紙幣の取り出しの要否を判定する。判定部２２は、Ｓ６で更新した「格納量」が、ＡＴＭ管理テーブル２６１の「上限量」に記憶される上限量を超えている場合、ＡＴＭ１からの紙幣の取り出し要と判定する。また、判定部２２は、Ｓ６で更新した「格納量」が「下限量」に記憶される下限量を下回っている場合、ＡＴＭ１への紙幣の補充要と判定する。判定部２２は、取り出し要または補充要と判定すると、その時刻をＡＴＭ管理テーブル２６１の「時刻」に記憶させる。判定部２２は、Ｓ６で更新した「格納量」が、ＡＴＭ管理テーブル２６１の「上限量」に記憶される上限量以下、「下限量」に記憶される下限量以上の範囲内である場合、取り出しおよび補充のいずれも不要と判定し、ＡＴＭ管理テーブル２６１の「時刻」を空（から）に初期化する。
【００６２】
Ｓ８では、管理サーバ２の決定部２３は、Ｓ７において判定部２２が取り出し要と判定した場合、ＡＴＭ１からの出金にインセンティブを与える顧客を決定する。また、決定部２３は、Ｓ７において判定部２２が補充要と判定した場合、ＡＴＭ１への入金にインセンティブを与える顧客を決定する。顧客の決定において、決定部２３は、ＡＴＭ管理テーブル２６１の「時刻」に記憶された時刻からの経過時間を基に、条件テーブル２７２を参照して、インセンティブを与える通知レベルを選定する。判定部２２は、グループテーブル２７１を参照して、選定した通知レベルに対応付けられたグループを特定し、特定したグループに属する顧客に対してインセンティブを与えることを決定する。
【００６３】
Ｓ９では、管理サーバ２の通知部２４は、顧客に通知するメッセージを生成する。通知部２４は、Ｓ７において判定部２２が紙幣の取り出し要と判定した場合、条件データベース２７のメッセージテーブル２７３を参照して、「種別」が「取り出し」に対応付けられたメッセージを取得する。通知部２４は、ＡＴＭ管理データベース２６のＡＴＭ管理テーブル２６１を参照して、取り出し要と判定されたＡＴＭ１の場所を取得する。通知部２４は、メッセージテーブル２７３から取得したメッセージのうち「＄ＳＴＡＲＴ＄」、「＄ＥＮＤ＄」、「＄ＡＴＭ＄」の部分のそれぞれを、判定した時刻、判定した時刻から所定時間後、ＡＴＭ管理テーブル２６１から取得したＡＴＭ１の場所に置換して、顧客に通知するメッセージを生成する。判定部２２が補充要と判定した場合の処理も同様である。
【００６４】
Ｓ１０では、管理サーバ２の通知部２４は、Ｓ８でインセンティブを与えることを決定した顧客に対し、Ｓ９で生成したメッセージの送信を行う。通知部２４は、Ｓ８で決定した顧客の連絡先を顧客管理データベース２５の顧客管理テーブル２５１から取得する。通知部２４は、顧客管理テーブル２５１から取得した連絡先に対して、Ｓ９で生成したメッセージを送信する。
【００６５】
Ｓ１１では、Ｓ９で送信したメッセージを受信した顧客端末３の表示部３１は、受信したメッセージを顧客端末３のディスプレイ等に表示する。顧客端末３を保有する顧客は、インセンティブが与えられることで、通知に記載されたＡＴＭ１での入金または出金が促される。
【００６６】
例えば、Ｓ１０において、ＡＴＭ１から出金する際の手数料が無料になる旨のメッセージを管理サーバ２が顧客端末３に送信した場合、顧客端末３で受信したメッセージを見た顧客に対して、ＡＴＭ１からの出金にインセンティブを与えることができる。そのため、顧客がＡＴＭ１から出金することが促され、顧客がＡＴＭ１から出金することで、ＡＴＭ１の格納庫１０６に格納される現金の格納量を減少させることができる。
【００６７】
また、例えば、Ｓ１０において、管理サーバ２がＡＴＭ１に入金する際の手数料が無料になる旨のメッセージを管理サーバ２が顧客端末３に送信した場合、顧客端末３で受信し
たメッセージを見た顧客に対して、ＡＴＭ１への入金にインセンティブを与えることができる。そのため、顧客がＡＴＭ１に入金することが促され、顧客がＡＴＭ１に入金することで、ＡＴＭ１の格納庫１０６に格納される現金の格納量を増加させることができる。
【００６８】
顧客がＡＴＭ１に入金または出金することで、処理はＳ１以降の処理が継続される。すなわち、顧客がＡＴＭ１に入金または出金した後に、管理サーバ２は格納庫１０６の格納量を更新する（Ｓ１からＳ６）。管理サーバ２は、更新後の格納量が補充要または取り出し要の状態が継続していると判定すると（Ｓ７）、補充要または取り出し要の状態の継続時間に応じてインセンティブを与える通知先を決定（Ｓ８）してメッセージを生成（Ｓ９）し、生成したメッセージの送信を行う（Ｓ１０）。
【００６９】
＜実施形態の作用効果＞
実施形態に係る入出金システム５００では、管理サーバ２は、ＡＴＭ１の格納庫１０６に格納される現金の格納量が上限量を超えると、ＡＴＭ１からの出金に対してインセンティブを与える顧客を決定し、決定した顧客に対してＡＴＭ１からの出金に対してインセンティブを与える旨のメッセージを送信する。インセンティブを顧客に与えることで、顧客がＡＴＭ１から出金することが促され、ＡＴＭ１の格納庫１０６に格納される現金の格納量を減少させることができる。そのため、実施形態によれば、ＡＴＭ１からの現金の取り出し作業の頻度を低減することができる。
【００７０】
実施形態に係る入出金システム５００では、管理サーバ２は、ＡＴＭ１の格納庫１０６に格納される現金の格納量が下限量を下回ると、ＡＴＭ１への入金に対してインセンティブを与える顧客を決定し、決定した顧客に対してＡＴＭ１からの入金に対してインセンティブを与える旨のメッセージを送信する。インセンティブを顧客に与えることで、顧客がＡＴＭ１に入金することが促され、ＡＴＭ１の格納庫１０６に格納される現金の格納量を増加させることができる。そのため、実施形態によれば、ＡＴＭ１からの現金の補充作業の頻度を低減することができる。
【００７１】
実施形態に係る入出金システム５００では、行動類型毎に顧客をグループ化し、それぞれのグループに対して、ＡＴＭ１を用いて入金または出金する蓋然性の高さに応じた通知レベルが設定される。実施形態では、通知レベルの高い顧客を優先してインセンティブを与えるメッセージを送信するため、メッセージを受信した顧客によって出金または入金される可能性を高めることができる。また、個々の顧客に対して通知レベルを設定するのではなく、顧客属性に基づいて顧客を分類したグループ毎に通知レベルを設定してグループ単位で通知するため、実施形態に係る入出金システム５００は、個々の顧客に存在する事情を吸収することができ、通知の結果生じるＡＴＭ１の出金または入金の管理をより安定的に行うことができる。
【００７２】
＜第１変形例＞
実施形態では、補充要または取り出し要と判定されてからの経過時間に応じて、通知レベルが決定される。第１変形例では、補充要または取り出し要の状態を解消可能と想定される人数の顧客に対して通知を行う。実施形態と同一の構成については同一の符号を付し、その説明を省略する。以下、図面を参照して、第１変形例について説明する。
【００７３】
図１０は、第１変形例に係る入出金システムの処理ブロックの一例を示す図である。図１０に例示される入出金システム５００ａは、管理サーバ２に代えて管理サーバ２ａを有する点で、実施形態に係る入出金システム５００と異なる。管理サーバ２ａは、取得部２１、決定部２３および条件データベース２７に代えて、取得部２１ａ、決定部２３ａおよび条件データベース２７ａを備える点で、管理サーバ２と異なる。
【００７４】
条件データベース２７ａは、グループテーブル２７１に代えてグループテーブル２７１ａを格納する点で、条件データベース２７と異なる。図１１は、第１変形例において条件データベースに格納されるグループテーブルの一例を示す図である。図１１に例示されるグループテーブル２７１ａは、グループテーブル２７１有する各項目に加えて、「反応割合」および「期待値（枚）」を項目としてさらに含む。「反応割合」には、メッセージを送信した際に、グループに属する顧客のうちＡＴＭ１を用いて実際に入金または出金を行う顧客の割合が格納される。「期待値（枚）」には、顧客一人当たりにおける出金または入金する紙幣の枚数の期待値が格納される。
【００７５】
取得部２１ａは、取得部２１が実行する処理に加えて、メッセージを受信した顧客のうち、実際にＡＴＭ１を用いて入金または出金を行った顧客の割合と、顧客一人当たりの出金または入金する紙幣の枚数の期待値を算出する。取得部２１ａは、ＡＴＭ１から通知される顧客ＩＤを基に、入金または出金を行った顧客が通知を行った顧客であるか否かを判定する。取得部２１ａは、通知を行った顧客のうち所定期間において入金または出金を行った顧客の人数を集計し、集計した人数をメッセージ送信対象とした顧客の人数で除算した値をグループテーブル２７１ａの「反応割合」に記憶させる。取得部２１ａは、メッセージ送信対象とした顧客が入金または出金した紙幣の枚数を集計し、当該枚数を所定期間において入金または出金を行った顧客の人数で除算した値を、グループテーブル２７１ａの「期待値（枚）」に記憶させる。
【００７６】
決定部２３ａは、判定部２２が現金の取り出し要または現金の補充要と判定すると、まず、通知レベル１に対応付けられたグループを特定し、特定したグループに属する顧客に対してインセンティブを与えるメッセージを送信することを決定する。決定部２３ａは、グループテーブル２７１ａを参照して、通知レベル１のグループの顧客にメッセージを送信する場合に入金または出金される紙幣の枚数の期待値を算出する。紙幣の枚数の期待値の算出は、例えば、グループテーブル２７１ａの「反応割合」に対して当該グループに属する顧客の人数を乗算し、乗算した値に「期待値（枚）」を乗算することで算出できる。
【００７７】
決定部２３ａは、算出した紙幣の枚数の期待値が、ＡＴＭ１の格納庫１０６が補充要または取り出し要の状態を解消可能な枚数であるか否かを判定する。不足する場合、決定部２３ａは、通知レベル１に加えて通知レベル２に対しても、メッセージを送信する旨を決定する。決定部２３ａは、算出した紙幣の枚数の期待値が、ＡＴＭ１の格納庫１０６が補充要または取り出し要の状態を解消可能となるまで、このような処理を繰り返す。
【００７８】
第１変形例によれば、補充要または取り出し要の状態を解消可能と想定される人数の顧客に入金または出金を促すメッセージを送信することができる。そのため、第１変形例によれば、より速やかにＡＴＭ１の補充要または取り出し要の状態の解消を行うことができる。
【００７９】
第１変形例において、グループに属する顧客が、時間帯別のサブグループにさらに属するようにしてもよい。例えば、グループＡでは通勤ルートにＡＴＭ−ＩＤ１のＡＴＭ１が存在する顧客が分類されている。このグループＡの顧客を、さらに、通勤時間毎にグループ分けしてもよい。例えば、午前６時から７時の間にＡＴＭ１近辺を通過する顧客が属するサブグループ、午前７時から８時の間にＡＴＭ１近辺を通過する顧客が属するサブグループ、午後７時から８時の間にＡＴＭ１近辺を通過する顧客が属するサブグループ、のようにサブグループを作成することができる。
【００８０】
このようにサブグループを作成する場合、決定部２３ａは、まず、通知レベル１に対応するグループに属する顧客のうち、補充要または取り出し要と判定された時刻に対応するサブグループに属する顧客を通知対象として決定する。決定部２３ａは、通知対象として
決定した顧客による紙幣の枚数の期待値を上記方法で算出し、算出した期待値が不足する場合には、通知レベル２以降に対応するグループに属する顧客のうち、補充要または取り出し要と判定された時刻に対応するサブグループに属する顧客を通知対象としてさらに決定すればよい。
【００８１】
＜その他の変形＞
実施形態や変形例では、グループとして、通勤途中、周辺居住、手数料重視の３種類が例示されたが、グループによる顧客の分類がこれらに限定されるわけではない。グループは、例えば、毎月同じ日（または、前後数日の範囲内）に資金流入または資金流出が発生する顧客を一つのグループに属するようにしてもよい。毎月同じ日（または前後数日の範囲内）に資金流入する場合として、例えば、給与振込、保護者からの仕送り等を挙げることができる。また、所定期間内に所定回数以上の資金流入がある顧客を一つのグループに属するようにしてもよい。このような資金流入が生じる顧客は、ＡＴＭ１を利用して出金する蓋然性が高いと考えられる。このような顧客に対して取り出し要と判定されたＡＴＭ１からの出金にインセンティブを与えるメッセージを送信することで、ＡＴＭ１から出金される可能性を高めることができる。
【００８２】
また、毎月同じ日（または前後数日の範囲内）に資金流出する場合として、例えば、クレジットカードの支払い、公共料金の引き落とし、住宅ローン返済、奨学金返済、保険料の引き落とし等を挙げることができる。また、所定期間内に所定回数以上の資金流出がある顧客を一つのグループに属するようにしてもよい。このような資金流出がある顧客は、ＡＴＭ１を利用して入金する蓋然性が高いと考えられる。このような顧客に対して補充要と判定されたＡＴＭ１への入金にインセンティブを与えるメッセージを送信することで、ＡＴＭ１に入金される可能性を高めることができる。
【００８３】
また、管理サーバ２が顧客の個人スケジュールの登録を受け付け、登録された個人スケジュールにしたがって、顧客がＡＴＭ１の近辺にいるか否かを判定し、ＡＴＭ１の近辺にいる顧客を優先してメッセージを送信してもよい。
【００８４】
また、ＡＴＭ１それぞれが設置された地域毎のイベントスケジュールを管理サーバ２が記憶しておき、イベントが開催されるときにはイベント会場近辺の顧客がイベント会場に移動するものと想定して、イベント会場近くのＡＴＭ１についてのメッセージをイベント会場周辺に居住する顧客に送信してもよい。
【００８５】
実施形態では、簡単のため、ＡＴＭ１が紙幣を格納する格納庫１０６をひとつ備えることとしたが、ＡＴＭ１は金種毎に用意した複数の格納庫１０６を備えてもよい。また、ＡＴＭ１は、紙幣を格納する格納庫１０６に限定されず、硬貨を格納する格納庫１０６を備えてもよい。この場合、ＡＴＭ１の検知部１２は、格納庫１０６のそれぞれについて格納量を検知し、格納庫１０６それぞれの格納量を管理サーバ２に通知する。管理サーバ２では、金種毎に用意された格納庫１０６それぞれについて、「格納量」、「上限量」および「下限量」をＡＴＭ管理テーブル２６１が記憶し、通知されたそれぞれの格納庫１０６の格納量について、補充要否や取り出し要否を判定部２２が判定する。そして、管理サーバ２の通知部２４は、補充要または取り出し要と判定された金種での出金や入金にインセンティブを与える旨のメッセージを顧客に送信すればよい。
【００８６】
管理サーバ２の通知部２４は、補充要または取り出し要と判定された金種に応じて、メッセージの送信先を変更してもよい。例えば、一万円札の補充要と判定された場合、通知部２４は、売上金のＡＴＭ１への入金が期待できる自営業が分類されるグループ宛にメッセージを送信してもよい。一万円札の取り出し要と判定された場合、通知部２４は、比較的大きな金額をＡＴＭ１から出金することが期待できる会社員や２０歳以上の顧客が分類
されるグループ宛にメッセージを送信してもよい。千円札の取り出し要と判定された場合、日中や帰宅時の買い物等の日常的な支出（比較的少額の支出）を期待できる、通勤ルート上にＡＴＭ１が存在する顧客が分類されるグループ宛にメッセージを送信してもよい。
【００８７】
実施形態では、通知レベルに応じてインセンティブを与えるグループが変更されるが、通知レベルによって顧客に与えるインセンティブの内容を変更してもよい。例えば、通知レベルが高くなる程、顧客にとって一層有利となるインセンティブを与えるようにしてもよい。このような構成を採用することで、補充要または取り出し要の状態をより短期に解消する方向に顧客の行動を誘導できる。
【００８８】
インセンティブは、例えば、ＡＴＭ１を利用する蓋然性が高いグループほど、顧客にとって一層有利となるインセンティブが与えられてもよい。このような構成とすることで、ＡＴＭ１を利用する蓋然性が高いグループに属する顧客に対して、ＡＴＭ１を利用する可能性を高めることができる。また、インセンティブは、例えば、ＡＴＭ１を利用する蓋然性が低いグループほど、顧客にとって一層有利となるインセンティブが与えられてもよい。このような構成とすることで、ＡＴＭ１を利用する蓋然性が低いグループに属する顧客に対して、ＡＴＭ１の利用を促すことができる。
【００８９】
実施形態では、顧客に与えるインセンティブとして、ＡＴＭ１の手数料を無料にすることを挙げた。しかしながら、インセンティブがＡＴＭ１の手数料の無料にすることに限定されるわけではない。インセンティブの他の例としては、ＡＴＭ１の手数料の割引、預金利息の付与、ポイントの付与等を挙げることができる。
【００９０】
実施形態では、管理サーバ２は、ＡＴＭ１への補充の要否およびＡＴＭ１からの取り出しの要否の双方を判定し、判定結果に応じてインセンティブを与えるメッセージを送信した。しかしながら、管理サーバ２は、補充の要否または取り出しの要否のいずれか一方を判定するものとしてもよい。例えば、管理サーバ２は、ＡＴＭ１への補充の要否を判定し、補充要と判定された場合にＡＴＭ１への入金にインセンティブを与えるメッセージを送信してもよく、この場合、管理サーバ２は取り出しの要否については判定を行わないとしてもよい。管理サーバ２がこのような構成を採用しても、ＡＴＭ１からの現金の補充作業の頻度を低減することができる。
【００９１】
また、管理サーバ２は、ＡＴＭ１からの取り出しの要否を判定し、取り出し要と判定された場合にＡＴＭ１からの出金にインセンティブを与えるメッセージを送信してもよく、この場合、管理サーバ２は補充の要否については判定を行わないとしてもよい。管理サーバ２がこのような構成を採用しても、ＡＴＭ１からの現金の取り出し作業の頻度を低減することができる。
【００９２】
以上で開示した実施形態や変形例はそれぞれ組み合わせる事ができる。
【００９３】
<<コンピュータが読み取り可能な記録媒体>>
コンピュータその他の機械、装置（以下、コンピュータ等）に上記いずれかの機能を実現させる情報処理プログラムをコンピュータ等が読み取り可能な記録媒体に記録することができる。そして、コンピュータ等に、この記録媒体のプログラムを読み込ませて実行させることにより、その機能を提供させることができる。
【００９４】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、Ｃｏｍ
ｐａｃｔ  Ｄｉｓｃ  Ｒｅａｄ  Ｏｎｌｙ  Ｍｅｍｏｒｙ（ＣＤ−ＲＯＭ）、Ｃｏｍｐａｃｔ  Ｄｉｓｃ−Ｒｅｃｏｒｄａｂｌｅ（ＣＤ−Ｒ）、Ｃｏｍｐａｃｔ  Ｄｉｓｃ−ＲｅＷｒｉｔｅｒａｂｌｅ（ＣＤ−ＲＷ）、Ｄｉｇｉｔａｌ  Ｖｅｒｓａｔｉｌｅ  Ｄｉｓｃ（ＤＶＤ）、ブルーレイディスク（ＢＤ）、Ｄｉｇｉｔａｌ  Ａｕｄｉｏ  Ｔａｐｅ（ＤＡＴ）、８ｍｍテープ、フラッシュメモリなどのメモリカード等がある。また、コンピュータ等に固定された記録媒体としてハードディスクやＲＯＭ等がある。
【符号の説明】
【００９５】
１・・・ＡＴＭ
１１・・・入出金部
１２・・・検知部
１０１、２０１、３０１・・・ＣＰＵ
１０２、２０２、３０２・・・主記憶部
１０３、２０３、３０３・・・補助記憶部
１０４、２０４、３０４・・・通信部
１０５・・・入出金口
１０６・・・格納庫
２、２ａ・・・管理サーバ
２１、２１ａ・・・取得部
２２・・・判定部
２３、２３ａ・・・決定部
２４・・・通知部
２５・・・顧客管理データベース
２５１・・・顧客管理テーブル
２５２・・・口座管理テーブル
２６・・・ＡＴＭ管理データベース
２６１・・・ＡＴＭ管理テーブル
２７、２７ａ・・・条件データベース
２７１、２７１ａ・・・グループテーブル
２７２・・・条件テーブル
２７３・・・メッセージテーブル
３・・・顧客端末
３１・・・表示部
５・・・ネットワーク環境
５００、５００ａ・・・入出金システム
Ｂ１、Ｂ２、Ｂ３・・・接続バス
【図１】
2020144458.tif 000003
【図２】
2020144458.tif 000004
【図３】
2020144458.tif 000005
【図４】
2020144458.tif 000006
【図５】
2020144458.tif 000007
【図６】
2020144458.tif 000008
【図７】
2020144458.tif 000009
【図８】
2020144458.tif 000010
【図９】
2020144458.tif 000011
【図１０】
2020144458.tif 000012
【図１１】
2020144458.tif 000013